(57)【要約】【課題】  デジタル著作権管理された画像データに関連付けられた手書きの文字を表示する。【解決手段】  表示装置は、ＰＣからデジタル著作権管理された画像データを受信する画像データ受信部（Ｓ０２）と、画像を表示する電子ペーパと、電子ペーパの表示面上でユーザにより指示された位置に基づいて、手書き文字を検出する手書き文字検出部（Ｓ０５）と、画像データに基づく画像を電子ペーパに表示している段階で、手書き文字が検出されると（Ｓ０５でＹＥＳ）、検出された手書き文字と画像データが格納されている位置を示すアドレスとを関連付ける関連付部（Ｓ１０）と、表示対象となる画像データのアドレスと手書き文字が関連付けられている場合、表示対象となる画像データに基づく画像に関連付けられた手書き文字の画像を重畳する合成部と、を備える。【選択図】        図６
2011095847.tif 000002
【特許請求の範囲】
【請求項１】
外部からデジタル著作権管理された画像データを受信する受信手段と、
画像を表示する表示手段と、
前記表示手段を制御する表示制御手段と、
前記表示手段の表示面上でユーザにより指示された位置に基づいて、手書き文字を検出する手書き文字検出手段と、
前記表示制御手段が前記受信された画像データに基づく画像を前記表示手段に表示している段階で、前記文字検出手段により手書き文字が検出されると、前記検出された手書き文字と前記画像データが格納されている位置を示すアドレスとを関連付ける関連付手段と、
表示対象となる画像データのアドレスと手書き文字が関連付けられている場合、前記表示対象となる画像データに基づく画像に前記関連付けられた手書き文字の画像を重畳する合成手段と、を備えた表示装置。
【請求項２】
前記関連付手段は、前記手書き文字と前記アドレスとを記録媒体に格納し、
前記記録媒体に格納された前記アドレスに基づいて、前記画像データを取得する画像データ取得手段をさらに備え、
前記合成手段は、前記表示制御手段が前記取得された画像データに基づく画像を前記表示手段に表示する場合、前記取得された画像データに基づく画像に前記記録媒体に格納され、前記記録媒体に格納された前記アドレスに関連付けられた前記手書き文字の画像を重畳する、請求項１に記載の表示装置。
【請求項３】
記録媒体が着脱可能なインターフェース手段を、さらに備え、
前記画像データ取得手段は、前記インターフェース手段に装着された前記記録媒体に格納された前記アドレスに基づいて、前記画像データを取得する、請求項２に記載の表示装置。
【請求項４】
前記関連付手段は、前記画像データが表示単位となるページの画像を複数含む場合、前記検出された手書き文字を、前記表示手段に表示されている画像のページを識別するためのページ識別情報とさらに関連付け、
前記合成手段は、表示対象となる画像のページ識別情報に手書き文字が関連付けられていることを条件に、前記表示対象となる画像に、該ページ識別情報に関連付けられた前記手書き文字の画像を重畳する、請求項１〜３のいずれかに記載の表示装置。
【請求項５】
前記手書き文字をプリントするためのプリントデータを生成するプリント制御手段をさらに備え、
前記プリント制御手段は、前記画像データに基づく画像のプリントが許可されていることを条件に、前記画像データに基づく画像に、前記手書き文字の画像を重畳した画像をプリントするためのプリントデータを生成する、請求項１〜４のいずれかに記載の表示装置。
【請求項６】
画像を表示する表示手段を備えた表示装置で実行される表示制御方法であって、
外部からデジタル著作権管理された画像データを受信するステップと、
前記表示手段の表示面上でユーザにより指示された位置に基づいて、手書き文字を検出するステップと、
前記受信された画像データに基づく画像を前記表示手段に表示している段階で、前記手書き文字が検出されると、前記検出された手書き文字と前記画像データが格納されている位置を示すアドレスとを関連付けるステップと、
表示対象となる画像データのアドレスと手書き文字が関連付けられている場合、前記表示対象となる画像データに基づく画像に前記関連付けられた手書き文字の画像を重畳するステップと、を含む表示制御方法。
【請求項７】
画像を表示する表示手段を備えた表示装置を制御するコンピュータで実行される表示制御プログラムであって、
外部からデジタル著作権管理された画像データを受信するステップと、
前記表示手段の表示面上でユーザにより指示された位置に基づいて、手書き文字を検出するステップと、
前記受信された画像データに基づく画像を前記表示手段に表示している段階で、前記手書き文字が検出されると、前記検出された手書き文字と前記画像データが格納されている位置を示すアドレスとを関連付けるステップと、
表示対象となる画像データのアドレスと手書き文字が関連付けられている場合、前記表示対象となる画像データに基づく画像に前記関連付けられた手書き文字の画像を重畳するステップと、を前記コンピュータに実行させる表示制御プログラム。
【発明の詳細な説明】
【技術分野】
【０００１】
この発明は、表示装置、表示制御方法および表示制御プログラムに関し、特に、機密文書の画像を表示するのに適した表示装置、その表示装置で実行される表示制御方法および表示制御プログラムに関する。
【背景技術】
【０００２】
会議などで発表者がパーソナルコンピュータに記憶された画像をプロジェクタ等に出力して表示する場合、そのパーソナルコンピュータが出力する画像を、参加者が使用する表示装置に表示させると便利である。
【０００３】
特開２００３−９１０７号公報には、会議の配布資料ファイルに対して出席者が書き込むメモ情報を付加する電子会議用端末であって、前記会議の進行に従って前記配布資料ファイルのうち表示する情報を記憶する文書情報記憶手段と、前記出席者による前記メモ情報等の入力を受け付ける入力手段と、前記メモ情報を記憶するメモ情報記憶手段と、前記文書情報記憶手段の記憶内容及び前記メモ情報記憶手段の記憶内容を重ね合わせた画面を記憶する表示情報記憶手段と、前記表示情報記憶手段の記憶内容を表示する表示手段と、前記文書情報記憶手段の記憶内容及び前記メモ情報記憶手段の記憶内容を重ね合わせた表示情報からメモ付き配布資料ファイルを作成するファイル書き込み手段と、を備えたことを特徴とする電子会議用端末が記載されている。
【０００４】
従来の電子会議用端末は、配布資料ファイルの内容とメモ情報とを関連付けることができ、後に、配布資料の内容をメモとともに確認することができる。しかしながら、配布資料ファイルの内容が、機密文書であって、電子会議用端末に記憶することができない場合に、配布資料ファイルとメモとを関連付けることができないといった問題がある。
【特許文献１】特開２００３−９１０７号公報
【発明の概要】
【発明が解決しようとする課題】
【０００５】
この発明は上述した問題点を解決するためになされたもので、この発明の目的の１つは、デジタル著作権管理された画像データに関連付けられた手書きの文字を表示することが可能な表示装置を提供することである。
【０００６】
この発明の他の目的は、デジタル著作権管理された画像データに関連付けられた手書きの文字を表示することが可能な表示制御方法を提供することである。
【０００７】
この発明のさらに他の目的は、デジタル著作権管理された画像データに関連付けられた手書きの文字を表示することが可能な表示制御プログラムを提供することである。
【課題を解決するための手段】
【０００８】
この発明は上述した問題点を解決するためになされたもので、この発明のある局面によれば、表示装置は、外部からデジタル著作権管理された画像データを受信する受信手段と、画像を表示する表示手段と、表示手段を制御する表示制御手段と、表示手段の表示面上でユーザにより指示された位置に基づいて、手書き文字を検出する手書き文字検出手段と、表示制御手段が受信された画像データに基づく画像を表示手段に表示している段階で、文字検出手段により手書き文字が検出されると、検出された手書き文字と画像データが格納されている位置を示すアドレスとを関連付ける関連付手段と、表示対象となる画像データのアドレスと手書き文字が関連付けられている場合、表示対象となる画像データに基づく画像に関連付けられた手書き文字の画像を重畳する合成手段と、を備える。
【０００９】
この局面に従えば、外部からデジタル著作権管理された画像データが受信され、画像データに基づく画像を表示している段階で、手書き文字が検出されると、手書き文字と画像データが格納されている位置を示すアドレスとが関連付けられ、画像データのアドレスと手書き文字が関連付けられている場合、画像データに基づく画像に関連付けられた手書き文字が重畳される。デジタル著作権管理された画像データが格納されている位置を示すアドレスと手書き文字とを関連付けるので、画像データを記憶することなく、画像データと手書き文字とを関連付けることができる。また、表示対象となる画像データのアドレスと手書き文字が関連付けられている場合、画像データに基づく画像に関連付けられた手書き文字が重畳される。このため、デジタル著作権管理された画像データに関連付けられた手書きの文字を表示することが可能な表示装置を提供することができる。
【００１０】
好ましくは、関連付手段は、手書き文字とアドレスとを記録媒体に格納し、記録媒体に格納されたアドレスに基づいて、画像データを取得する画像データ取得手段をさらに備え、合成手段は、表示制御手段が取得された画像データに基づく画像を表示手段に表示する場合、取得された画像データに基づく画像に記録媒体に格納され、記録媒体に格納されたアドレスに関連付けられた手書き文字の画像を重畳する。
【００１１】
この局面に従えば、手書き文字と画像データのアドレスとが記録媒体に格納されるので、記録媒体に格納された手書き文字を、それとともに記憶されたアドレスの画像データの画像に重畳することができる。
【００１２】
好ましくは、記録媒体が着脱可能なインターフェース手段を、さらに備え、画像データ取得手段は、インターフェース手段に装着された記録媒体に格納されたアドレスに基づいて、画像データを取得する。
【００１３】
この局面に従えば、手書き文字を入力した表示装置とは別の表示装置に記録媒体が装着される場合、別の表示装置に画像データの画像に手書き文字の画像を重畳した画像を表示することができる。
【００１４】
好ましくは、関連付手段は、画像データが表示単位となるページの画像を複数含む場合、検出された手書き文字を、表示手段に表示されている画像のページを識別するためのページ識別情報とさらに関連付け、合成手段は、表示対象となる画像のページ識別情報に手書き文字が関連付けられていることを条件に、表示対象となる画像に、該ページ識別情報に関連付けられた手書き文字の画像を重畳する。
【００１５】
この局面に従えば、画像データが表示単位となるページの画像を複数含む場合、手書き文字と、表示されている画像のページを識別するためのページ識別情報とが関連付けられ、画像のページ識別情報に手書き文字が関連付けられていることを条件に、表示対象となる画像に、該ページ識別情報に関連付けられた手書き文字の画像が重畳される。このため、画像データが複数ページの画像を含む場合、複数のページごとに手書き文字が関連付けられるので、複数のページごとに手書き文字の画像を表示することができる。
【００１６】
好ましくは、手書き文字をプリントするためのプリントデータを生成するプリント制御手段をさらに備え、プリント制御手段は、画像データに基づく画像のプリントが許可されていることを条件に、画像データに基づく画像に、手書き文字の画像を重畳した画像をプリントするためのプリントデータを生成する。
【００１７】
この発明の他の局面によれば、表示制御方法は、画像を表示する表示手段を備えた表示装置で実行される表示制御方法であって、外部からデジタル著作権管理された画像データを受信するステップと、表示手段の表示面上でユーザにより指示された位置に基づいて、手書き文字を検出するステップと、受信された画像データに基づく画像を表示手段に表示している段階で、手書き文字が検出されると、検出された手書き文字と画像データが格納されている位置を示すアドレスとを関連付けるステップと、表示対象となる画像データのアドレスと手書き文字が関連付けられている場合、表示対象となる画像データに基づく画像に関連付けられた手書き文字の画像を重畳するステップと、を含む。
【００１８】
この局面に従えば、デジタル著作権管理された画像データに関連付けられた手書きの文字を表示することが可能な表示制御方法を提供することができる。
【００１９】
この発明のさらに他の局面によれば、表意制御プログラムは、画像を表示する表示手段を備えた表示装置を制御するコンピュータで実行される表示制御プログラムであって、外部からデジタル著作権管理された画像データを受信するステップと、表示手段の表示面上でユーザにより指示された位置に基づいて、手書き文字を検出するステップと、受信された画像データに基づく画像を表示手段に表示している段階で、手書き文字が検出されると、検出された手書き文字と画像データが格納されている位置を示すアドレスとを関連付けるステップと、表示対象となる画像データのアドレスと手書き文字が関連付けられている場合、表示対象となる画像データに基づく画像に関連付けられた手書き文字の画像を重畳するステップと、をコンピュータに実行させる。
【００２０】
この局面に従えば、デジタル著作権管理された画像データに関連付けられた手書きの文字を表示することが可能な表示制御プログラムを提供することができる。
【発明を実施するための形態】
【００２１】
以下、本発明の実施の形態について図面を参照して説明する。以下の説明では同一の部材には同一の符号を付してある。それらの名称および機能も同じである。従って、それらについての詳細な説明は繰り返さない。
【００２２】
図１は、本発明の実施の形態の１つにおける表示システムの全体概要を示す図である。図１を参照して、表示システム１は、パーソナルコンピュータ（以下「ＰＣ」という）２０１と、５つの表示装置１００，１００Ａ，１００Ｂ，１００Ｃ，１００Ｄと、プリンタ２１１と、サーバ２２１と、を含む。ＰＣ２０１、５つの表示装置１００，１００Ａ，１００Ｂ，１００Ｃ，１００Ｄおよびプリンタ２１１それぞれは、ネットワーク３００に接続されており、互いに通信可能である。また、ネットワーク３００は、インターネット３１１に接続されており、サーバ２２１は、ネットワーク３００と接続されたインターネット３１１に接続されている。このため、ＰＣ２０１、５つの表示装置１００，１００Ａ，１００Ｂ，１００Ｃ，１００Ｄそれぞれは、サーバ２２１と通信可能である。
【００２３】
ＰＣ２０１およびサーバ２２１は、一般的なコンピュータである。プリンタ２１１は、画像形成機能を有し、ＰＣ２０１、５つの表示装置１００，１００Ａ，１００Ｂ，１００Ｃ，１００Ｄのいずれかからプリントデータを受信すると、そのプリントデータに基づいた画像を用紙等の記録媒体に形成する。
【００２４】
ネットワーク３００は、ローカルエリアネットワーク（ＬＡＮ）である。なお、ＬＡＮに代えて、ワイドエリアネットワーク、公衆電話回線、インターネット等であってもよい。さらに、ネットワーク３００は、有線に限らず、無線であってもよい。また、ここでは、ＰＣ２０１と、表示装置１００，１００Ａ〜１００Ｄそれぞれを、ネットワーク３００を介して接続する例を示すが、シリアル通信またはパラレル通信等で接続するようにしてもよい。
【００２５】
表示システム１は、５つの表示装置１００，１００Ａ〜１００Ｄを含む場合を例に示すが、台数はこれに限定されることなく、１台以上あればよい。また、５つの表示装置１００，１００Ａ〜１００Ｄの構成および機能は同じなので、ここでは特に言及しない限り、表示装置１００を例に説明する。
【００２６】
本実施の形態における表示システム１は、同じ画像を複数人が同時に閲覧する会議等で使用され、発表者がＰＣ２０１を操作し、参加者が表示装置１００，１００Ａ〜１００Ｄを操作する場合に適している。発表者は、発表用の画像の電子データである画像データを、ＰＣ２０１に記憶させ、ＰＣ２０１から画像データを表示装置１００，１００Ａ〜１００Ｄに送信し、表示装置１００，１００Ａ〜１００Ｄが、受信された画像データを表示することにより、発表者および参加者が同じ画像を同時に閲覧する。ただし、発表用の画像データは、デジタル著作権管理されたデータであり、例えば、表示装置１００，１００Ａ〜１００Ｄに記憶することができない状態でストリーミング配信される。また、デジタル著作権管理されたデータは、予め定められた認証装置、例えば、サーバ２２１による認証が得られることを条件に、アクセス可能となるデータ、閲覧期限が制限されたデータ等を含む。
【００２７】
さらに、ここでは、発表用の画像データは、会議の後で閲覧することができるように、ＰＣ２０１によってサーバ２２１が有するハードディスクドライブ（ＨＤＤ）等の記憶装置の所定の領域に記憶される。ＰＣ２０１から表示装置１００，１００Ａ〜１００Ｄに送信される発表用の画像データは、サーバ２２１における発表用の画像データが記憶された位置を示すアドレスを含んでいる。なお、ここでは、発表用の画像データを、サーバ２２１に記憶するようにしたが、表示装置１００，１００Ａ〜１００Ｄがアクセス可能であれば、インターネット３１１に接続された他のコンピュータであってもよいし、ＰＣ２０１であってもよい。
【００２８】
図２は、本発明の実施の形態の１つにおける表示装置の平面図である。図２を参照して、表示装置１００は、その上面に設けられた電子ペーパ１９と、タッチパネル２１Ｂと、電源キー２１Ａと、を含む。
【００２９】
なお、画像を表示する装置であれば、電子ペーパ１９に代えて、液晶表示装置（ＬＣＤ）、有機ＥＬＤ（Ｅｌｅｃｔｒｏｌｕｍｉｎｅｓｃｅｎｃｅ  Ｄｉｓｐｌａｙ）等を用いるようにしてもよい。
【００３０】
タッチパネル２１Ｂは、透明な部材からなり、電子ペーパ１９の表示面に重畳して設けられる。ユーザが、電子ペーパ１９の表示面を指示すると、表示面における指示された位置の座標を出力する。なお、タッチパネル２１Ｂは、静電誘導方式または電磁誘導様式を用いる場合には、電子ペーパ１９の裏面に設けることができ、この場合には、透明である必要はない。
【００３１】
図３は、表示装置のハードウエア構成の一例を示すブロック図である。図３を参照して、表示装置１００は、それぞれがバス３１に接続された、表示装置１００の全体を制御するＣＰＵ１１と、ＣＰＵ１１が実行するプログラム等を記憶するためのＲＯＭ１３と、ＣＰＵ１１の作業領域として用いられるＲＡＭ１５と、データを不揮発的に記憶するＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）１７と、電子ペーパ１９と、ユーザの操作を受け付ける操作部２１と、表示装置１００をネットワークに接続するための通信Ｉ／Ｆ２３と、外部Ｉ／Ｆ２５と、を含む。
【００３２】
電子ペーパ１９は、ＣＰＵ１１に制御されて、画像を表示する。ＲＯＭ１３は、ＣＰＵ１１が実行するプログラム、またはそのプログラムを実行するために必要なデータを記憶する。ＲＡＭ１１４は、ＣＰＵ１１１がプログラムを実行する際の作業領域として用いられる。ＥＥＰＲＯＭ１７は、プログラムまたはデータ等を不揮発的に記憶する。
【００３３】
操作部２１は、電源キー２１Ａを含む複数のキーと、電子ペーパ１９の上面に設けられたタッチパネル２１Ｂとを含む。電子ペーパ１９とタッチパネル２１Ｂとを組み合わせることにより、種々の操作を受け付ける。
【００３４】
通信Ｉ／Ｆ２３は、表示装置１００をネットワーク３００に接続するためのインターフェースである。ＣＰＵ１１は、通信Ｉ／Ｆ２３を介してＰＣ２０１と通信し、データを送受信する。また、通信Ｉ／Ｆ２３は、ネットワークを介してインターネットに接続されたコンピュータと通信が可能である。
【００３５】
外部Ｉ／Ｆ２５は、外部の装置と通信するためのインターフェースである。ここでは、外部Ｉ／Ｆ２５は、接続された外部の装置とシリアル通信する。外部Ｉ／Ｆ２５に外部装置としてカードリーダが接続される場合、ＣＰＵ１１は、外部Ｉ／Ｆ２５を介してカードリーダに装着されるメモリカード２５Ａにアクセス可能である。なお、ここでは、ＣＰＵ１１が実行するプログラムをＲＯＭ１３に記憶する例を示すが、ＣＰＵ１１がメモリカード２５Ａに記憶されたプログラムをＲＡＭ１５にロードして実行するようにしてもよい。また、ＣＰＵ１１が実行するプログラムを記憶する媒体としては、メモリカード２５Ａに限られず、光ディスク（ＭＯ（Ｍａｇｎｅｔｉｃ  Ｏｐｔｉｃａｌ  Ｄｉｓｃ／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  ＥＰＲＯＭ）などの半導体メモリでもよい。
【００３６】
また、ＣＰＵ１１は、ＥＥＰＲＯＭ１７に記憶されたプログラムをＲＡＭ１５にロードして実行するようにしてもよい。この場合、ネットワーク３００に接続された他のコンピュータが、表示装置１００のＥＥＰＲＯＭ１７に記憶されたプログラムを書き換える、または、新たなプログラムを追加して書き込むようにしてもよい。さらに、表示装置１００が、ネットワーク３００に接続された他のコンピュータからプログラムをダウンロードして、そのプログラムをＥＥＰＲＯＭ１７に記憶するようにしてもよい。ここでいうプログラムは、ＣＰＵ１１が直接実行可能なプログラムだけでなく、ソースプログラム、圧縮処理されたプログラム、暗号化されたプログラム等を含む。
【００３７】
図４は、表示装置が備えるＣＰＵが有する機能の一例をメモリカードに記憶されるデータとともに示す機能ブロック図である。図４に示すＣＰＵ１１が有する機能は、ＣＰＵ１１がＲＯＭ１３、ＥＥＰＲＯＭ１７またはメモリカード２５Ａに記憶されたプログラムを実行することにより、ＣＰＵ１１に形成される。図４を参照して、表示装置１００が備えるＣＰＵ１１は、ＰＣ２０１から画像データを受信する画像データ受信部５１と、電子ペーパ１９を制御する表示制御部５３と、手書き文字を検出する手書き文字検出部５７と、検出された手書き文字と画像データが格納されている位置を示すアドレスとを関連付ける関連付部５５と、画像データ取得部５９と、合成部６１と、プリントデータを生成するプリント制御部６３と、を含む。
【００３８】
画像データ受信部５１は、通信Ｉ／Ｆ２３を制御し、通信Ｉ／Ｆ２３がＰＣ２０１から画像データを受信すると、受信された画像データを表示制御部５３に出力する。また、画像データ受信部５１は、受信された画像データからアドレスを抽出し、抽出されたアドレスを関連付部５５に出力する。ここでは、画像データは、複数ページの画像を含むデータとする。複数ページの画像それぞれは、ページ番号が付されており、ページ番号によって特定される。ページ番号は、画像データに含まれる複数ページの画像それぞれを識別するためのページ識別情報である。
【００３９】
表示制御部５３は、画像データ受信部５１から入力される画像データの画像を、電子ペーパ１９に表示するとともに、電子ペーパ１９に表示している画像のページ番号を関連付部５５に出力する。
【００４０】
手書き文字検出部５７は、ユーザが、操作部２１を操作し、表示装置１００を手書きモードに設定した後に、操作部２１に含まれるタッチパネル２１Ｂの任意の位置を指示すれば、指示された位置を検出する。手書き文字検出部５７は、指示された位置の座標を連結することにより、手書き文字を検出する。手書き文字検出部５７は、検出された手書き文字をファイル名を付したデータとしてメモリカード２５Ａに記憶する。これにより手書き文字データ７３がメモリカード２５Ａに記憶される。さらに、手書き文字検出部５７は、検出された手書き文字を表示制御部５３に出力するとともに、手書き文字データ７３のファイル名を関連付部５５に出力する。
【００４１】
表示制御部５３は、手書き文字検出部５７から手書き文字が入力されると、それまで表示している画像データの画像に、手書き文字の画像を合成した合成画像を電子ペーパ１９に表示する。例えば、オンスクリーンディスプレイによって、画像データの画像に手書き文字の画像を重畳した合成画像を電子ペーパに表示する。これによって、表示装置１００のユーザは、自らが描いた手書き文字の画像中の位置と、文字の形状を認識することができる。
【００４２】
関連付部５５は、画像データ受信部５１から画像データのアドレスが入力され、表示制御部５３からページ番号が入力され、手書き文字検出部５７から手書き文字データのファイル名が入力される。関連付部５５は、アドレスと、ページ番号と、手書き文字データとを関連付ける関連付情報を生成し、メモリカード２５Ａに格納する。
【００４３】
図５は、関連付情報のフォーマットの一例を示す図である。図５を参照して、関連付情報７１は、アドレス情報の項目と、ページ識別情報の項目と、手書き文字識別情報の項目とを含む。アドレス情報の項目は、画像データが格納されるアドレスが設定され、ページ識別情報の項目は、画像データに含まれる複数ページの画像を識別するためのページ番号が設定され、手書き文字識別情報の項目は、メモリカード２５Ａに記憶された手書き文字データ７３を識別するためのファイル名が設定される。このように、関連付情報は、画像データと手書き文字とを関連付ける情報である。
【００４４】
図４に戻って、関連付部５５は、表示制御部５３から新たなページ番号が入力されると、新たな関連付情報を生成し、その後、手書き文字検出部５７から手書き文字データのファイル名が入力されると、表示制御部５３から新たなページ番号と、手書き文字データのファイル名とを設定した新たな関連付情報を、メモリカード２５Ａに格納する。従って、関連付情報は、ページ番号ごとに生成されてメモリカード２５Ａに格納される。
【００４５】
会議が終了すると、表示装置１００のユーザは、メモリカード２５Ａを表示装置１００から取り外して、持ち運ぶことが可能である。このため、ユーザが、会議の終了後に会議の内容を確認する等のために、メモリカード２５Ａを表示装置１００に装着すれば、表示装置１００がメモリカード２５Ａにアクセス可能となる。画像データ取得部５９は、メモリカード２５Ａに記憶されたデータのファイル名の一覧を含むファイル指定画面を、電子ペーパ１９に表示し、ユーザが、操作部２１を用いて、ファイル指定画面に一覧表示されているファイル名を指定すれば、その指定されたファイル名のデータを、メモリカード２５Ａから読み出す。
【００４６】
画像データ取得部５９は、関連付情報７１のファイル名がユーザにより指定されると、関連付情報７１をメモリカード２５Ａから読み出す。画像データ取得部５９は、関連付情報７１を読み出す場合、関連付情報のアドレス情報の項目に設定されているアドレスで特定される画像データを取得する。ここでは、画像データは、サーバ２２１の記憶装置に記憶されているので、関連付情報のアドレス情報の項目に設定されているアドレスは、サーバ２２１のネットワーク３００における位置情報としてのＩＰアドレスと、サーバ２２１の記憶装置を特定する情報としてのドライブ名と、記憶領域を特定する情報としてのフォルダ名と、画像データに付されたファイル名としている。このようにアドレスは、画像データが格納されているネットワーク３００における位置を示す。
【００４７】
画像データ取得部５９は、画像データをサーバ２２１から取得するために、サーバ２２１に画像データの送信を要求する。サーバ２２１においては、画像データの送信を要求してきた表示装置１００に画像データを記憶不可能な方式でストリーム配信する。これにより、表示装置１００においては、画像データを表示することはできるが、記憶することができないので、表示装置１００において画像データが複製されるのを防止することができ、セキュリティを確保することができる。なお、必要に応じて表示装置１００を操作するユーザを認証する処理等を実行し、認証が成功することを条件に、表示装置１００に画像データを送信する。これにより、閲覧を許可された者のみが画像データを閲覧することができる。画像データ取得部５９は、サーバ２２１が送信する画像データを受信し、受信された画像データを表示制御部５３に出力するとともに、先に読み出した関連付情報７１を合成部６１に出力する。
【００４８】
表示制御部５３は、画像データ取得部５９から入力される画像データの画像を、電子ペーパ１９に表示するとともに、電子ペーパ１９に表示している画像のページ番号を合成部６１に出力する。画像データ取得部５９から入力される画像データは、画像データに含まれる複数ページごとプリントの許可信号を含む。許可信号は、画像データに含まれる複数ページの画像ごとに、プリントを許可するか許可しないかを示す信号であり、画像データの作成者の指示により予め設定され、画像データに含まれる。表示制御部５３は、画像データ取得部５９から入力される画像データに含まれる複数ページの画像のうち、プリントが許可されているページの画像を、プリント制御部６３に出力するが、プリントが許可されていないページの画像は、プリント制御部６３に出力しない。
【００４９】
合成部６１は、画像データ取得部５９から入力される関連付情報７１に基づいて、メモリカード２５Ａから手書き文字データ７３を読み出し、表示制御部５３からページ番号が入力されるのに同期して、入力されるページ番号に関連付けられた手書き文字データ７３を表示制御部５３に出力する。具体的には、表示制御部５３からページ番号が入力されると、画像データ取得部５９から入力される関連付情報７１のうち、表示制御部５３から入力されるページ番号と同じページ番号がページ識別情報の項目に設定されている関連付情報７１を抽出し、抽出された関連付情報の手書き文字識別情報の項目に設定されているファイル名の手書き文字データ７３をメモリカード２５Ａから読出し、それを表示制御部５３およびプリント制御部６３に出力する。
【００５０】
表示制御部５３は、合成部６１から手書き文字データが入力されると、それまで表示している画像データの画像に、手書き文字データの画像を合成した合成画像を電子ペーパ１９に表示する。例えば、オンスクリーンディスプレイによって、画像データの画像に手書き文字データの画像を重畳した合成画像を電子ペーパに表示する。これによって、表示装置１００のユーザは、画像データに含まれる複数ページの画像が会議で表示された順に電子ペーパ１９に表示されるとともに、そのページの画像に対して会議中に描いた手書き文字が重畳して表示される。このため、ユーザは、会議後に、会議中に表示された画像を閲覧することができるとともに、会議中にその画像を見ている間に描いたメモを確認することができる。
【００５１】
プリント制御部６３は、ユーザによる指示に従って、合成部６１が出力する手書き文字データの画像をプリントするためのプリントデータを生成する。プリント制御部６３は、生成したプリントデータを、通信Ｉ／Ｆ２３を介して、ネットワーク３００に接続されたプリンタ２１１に送信し、プリンタ２１１に手書き文字データの画像をプリントさせる。また、プリント制御部６３は、表示制御部５３からプリントが許可された画像が入力される場合には、ユーザにより指示に従って、プリントが許可されたページの画像に、合成部６１が出力する手書き文字データの画像を重畳した合成画像を生成し、合成画像をプリントするためのプリントデータを生成し、プリンタ２１１に送信する。これにより、画像データに含まれる複数ページの画像のうちプリントが許可されたページの画像に、そのページに対応してユーザが会議中に描いた手書き文字の画像を重畳した画像が、プリンタ２１１によって用紙に形成される。
【００５２】
図６は、表示装置で実行される会議時表示制御処理の流れの一例を示すフローチャートである。図６に示す会議時表示制御処理は、表示装置１００，１００Ａ〜１００Ｄがそれぞれ備えるＣＰＵ１１が表示制御プログラムを実行することにより、ＣＰＵ１１により実行される処理である。ここでは、表示装置１００が備えるＣＰＵ１１が表示制御プログラムを実行する場合を例に説明する。
【００５３】
図６を参照して、ＣＰＵ１１は、受信指示を受け付けたか否かを判断する。ここでは、ＰＣ２０１から画像データを受信する指示が入力されたか否かを判断する（ステップＳ１）。画像データを受信するためのアプリケーションプログラムを指定する指示と、ＰＣを特定するための情報としてＩＰアドレスが入力されると、受信指示を受け付ける。なお、表示装置１００において会議時表示制御処理が実行される場合、その前後において、ＰＣ２０１は画像データを送信するモードに設定される。
【００５４】
次のステップＳ０２においては、ＰＣ２０１が送信する画像データを受信する。そして、受信された画像データからアドレスを抽出する（ステップＳ０３）。次のステップＳ０４においては、ステップＳ０２において受信された画像データの画像の表示を開始する。画像データは、ＰＣ２０１からページ単位のデータがストリーム配信されるので、ページ単位のデータが受信されるごとに電子ペーパ１９に表示する。
【００５５】
ステップＳ０５においては、手書き文字を検出したか否かを判断する。手書き文字を検出したならば処理をステップＳ０６に進めるが、そうでなければ処理をステップＳ１１に進める。ステップＳ１１においては、終了指示を受け付けたか否かを判断する。ユーザが、操作部２１に、会議時表示制御処理を終了させるために予め割り当てられた操作を入力したか否かを判断する。終了指示を受け付けたならば処理を終了するが、そうでなければ処理をステップＳ０５に戻す。すなわち、ＰＣ２０１から受信される画像データの画像を表示している最中に、手書き文字を検出した場合にステップＳ０６からステップＳ１０の処理が実行される。
【００５６】
ステップＳ０６においては、電子ペーパ１９に表示されている画像のページ番号を取得する。ページ番号は画像データに含まれている場合には画像データから抽出し、画像データに含まれていない場合には、表示したページの画像の数をカウントする。次のステップＳ０７においては、ステップＳ０５において検出された手書き文字の画像を、電子ペーパ１９にそれまで表示している画像データの画像に重畳して表示する。ここでは、オンスクリーンディスプレイで手書き文字の画像を画像データの画像に重畳して表示する。これにより、電子ペーパ１９に、画像データの画像に手書き文字の画像を重畳した合成画像が表示される。
【００５７】
次のステップＳ０８においては、格納指示を受け付けたか否かを判断する。操作部２１に含まれ、予め格納を指示する操作が割り当てられたキーをユーザが操作したか否かを判断する。格納指示を受け付けたならば処理をステップＳ０９に進めるが、そうでなければ処理をステップＳ１１に進める。ステップＳ０９においては、ステップＳ０５において、検出された手書き文字をメモリカード２５Ａにファイル名を付して格納し、処理をステップＳ１０に進める。次のステップＳ１０においては、ステップＳ０３において、抽出されたアドレスと、ステップＳ０６において取得されたページ番号と、ステップＳ０９において、メモリカード２５Ａに格納された手書き文字データのファイル名とを含む関連付情報を生成し、メモリカード２５Ａに格納する。これにより、メモリカード２５Ａに関連付情報７１が記憶される。関連付情報をメモリカード２５Ａに格納した後は、処理をステップＳ１１に進める。従って、手書き文字が検出され、ユーザにより格納指示が受け付けられるごとに、１つの関連付情報７１がメモリカード２５Ａに記憶される。
【００５８】
図７は、表示装置で実行される会議後表示制御処理の流れの一例を示すフローチャートである。図７に示す会議後表示制御処理は、表示装置１００，１００Ａ〜１００Ｄがそれぞれ備えるＣＰＵ１１が表示制御プログラムを実行することにより、ＣＰＵ１１により実行される処理である。図７を参照して、ＣＰＵ１１は、関連付情報の指定を受け付けたか否かを判断する（ステップＳ２１）。メモリカード２５Ａに記憶されている関連付情報７１のファイル名を指定する操作が受け付けられたならば、関連付情報が指定されたと判断する。関連付情報が指定されたならば、処理をステップＳ２２に進めるが、そうでなければ処理をステップＳ３２に進める。ステップＳ３２においては、終了指示を受け付けたか否かを判断する。終了指示を受け付けたならば処理を終了するが、そうでなければ処理をステップＳ２１に戻す。
【００５９】
ステップＳ２２においては、ステップＳ２１において指定された関連付情報７１をメモリカード２５Ａから読み出す。そして、手書き文字を表示する。ステップＳ２２において読み手された関連付情報のうち、ページ識別情報の項目に設定されているページ番号が若い。ものから順に関連付情報７１を抽出し、抽出された関連付情報の手書き文字識別情報の項目に設定されているファイル名で特定される手書き文字データ７３をメモリカード２５Ａから読み出し、電子ペーパ１９に表示する（ステップＳ２３）。次のステップＳ２４においては、元画像表示指示を受け付けたか否かを判断する。元画像表示指示を受け付けたならば処理をステップＳ２５に進めるが、そうでなければ処理をステップＳ２１に戻す。ユーザが操作部２１に元画像表示指示が予め割り当てられたキーを指示すれば、元画像表示指示を受け付ける。
【００６０】
ステップＳ２５においては、画像データの送信を要求する。ステップＳ２２において、読み出された関連付情報７１のアドレス情報の項目に設定されている。アドレスで特定される画像データの送信を要求する。ここでは、アドレスは、サーバ２２１の記憶装置に記憶されている画像データの位置を示すので、サーバ２２１に対して画像データの送信を要求する。サーバ２２１においては、画像データの送信要求を受信すると、要求された画像データを表示装置１００に送信するので、次のステップＳ２６においては、サーバ２２１が送信する画像データを受信する。そして、受信された画像データの画像の電子ペーパ１９への表示を開始する（ステップＳ２７）。
【００６１】
ステップＳ２８においては、ステップＳ２６において受信された画像データに含まれる。複数ページの画像のうち、電子ペーパに表示されている画像のページ番号を取得する。ステップＳ２９においては、手書き文字が存在するか否かを判断する。ステップＳ２２において読み出された関連付情報７１に、ステップＳ２８において取得されたページ番号がページ識別情報の項目に設定されている関連付情報７１が存在するか否かを判断する。そのような関連付情報が存在すれば、手書き文字が存在すると判断し、処理をステップＳ３２進めるが、そのような関連付情報が存在しなければ、手書き文字が存在しないと判断し、処理をステップＳ３１に進める。ステップＳ３０においては、抽出された関連付情報の手書き文字識別情報の項目に設定されているファイル名で特定される手書き文字データ７３を、メモリカード２５Ａから読み出し、読み出した手書き文字データの画像を電子ペーパ１９に表示されている画像に重畳して表示する。これにより、画像データに含まれる複数ページの画像のうち電子ペーパ１９に表示されている画像に、その画像が会議中に電子ペーパ１９に表示されている間にユーザが描いた文字の画像が重畳して表示される。このため、ユーザは、会議中に記録したメモを確認することができる。
【００６２】
ステップＳ３１においては、ステップＳ２６において開始した画像データの受信が完了したか否かを判断する。画像データの受信が完了したならば処理を終了するが、そうでなければ処理をステップＳ２８に戻す。
【００６３】
図８（Ａ）〜図８（Ｃ）は、電子ペーパ１９に表示される画像の一例を示す図である。図８（Ａ）は、画像データの画像の一例を示す図である。図８（Ｂ）は、図８（Ａ）に示す画像に手書き文字が描かれた状態における画像の一例を示す図である。図８（Ｃ）は、手書き文字の一例を示す図である。会議中に図８（Ａ）に示す画像が電子ペーパ１９に表示されている段階において、ユーザが、図８（Ｃ）の手書き文字を入力すれば、図８（Ｂ）に示す画像が電子ペーパ１９に表示される。
【００６４】
ユーザは、会議後に、メモリカード２５Ａに記憶された関連付情報７１を指定すれば、図８（Ｃ）に示す手書き文字の画像を閲覧することができる。さらに、元画像表示指示を表示装置１００に入力すれば、サーバ２２１から画像データのストリーム配信を受け、画像データの画像に手書き文字の画像を重畳した図８（Ｂ）に示す画像を閲覧することができる。さらに、図８（Ｃ）に示す手書き画像をプリンタ２１１にプリントさせることができる。さらに、図８（Ａ）の画像がプリントが許可されたページであれば、図８（Ｂ）に示す画像をプリンタ２１１にプリントさせることができる。
【００６５】
以上説明したように本実施の形態における表示装置１００，１００Ａ、１００Ｂ，１００Ｃ、１００Ｄは、ＰＣ２０１からデジタル著作権管理された画像データを受信し、画像データに基づく画像を電子ペーパ１９に表示している段階で、タッチパネル２１Ｂによって手書き文字が検出されると、手書き文字と画像データが格納されている位置を示すアドレスとを関連付ける関連付データ７３をメモリカード２５Ａに格納する。そして、関連付データ７３が指定される場合、その関連付データ７３によって画像データのアドレスと手書き文字が関連付けられている場合、サーバ２２１から画像データを取得し、画像データに基づく画像に関連付けられた手書き文字の画像を重畳した画像を、電子ペーパ１９に表示する。デジタル著作権管理された画像データが格納されている位置を示すアドレスと手書き文字とを関連付けるので、画像データを記憶することなく、画像データと手書き文字とを関連付けることができる。また、関連付データ７３が指定される場合、関連付データ７３に含まれるアドレスで特定される画像データの画像を表示する際に、関連付データ７３により手書き文字が関連付けられている場合、画像データに基づく画像に関連付けられた手書き文字の画像を重畳した合成画像を表示する。このため、デジタル著作権管理された画像データの画像に関連付けられた手書きの文字の画像を表示することができる。
【００６６】
また、手書き文字と画像データのアドレスとがメモリカード２５Ａに格納されるので、メモリカード２５Ａに格納された手書き文字の画像を、それとともに記憶されたアドレスの画像データの画像に重畳することができる。さらに、外部Ｉ／Ｆ２５に装着されたメモリカード２５Ａに格納されたアドレスに基づいて、画像データを取得するので、例えば、手書き文字を入力した表示装置１００とは別の表示装置１００Ａにメモリカード２５Ａを装着する場合、表示装置１００Ａで画像データの画像に手書き文字の画像を重畳した画像を表示することができる。
【００６７】
さらに、画像データが表示単位となるページの画像を複数含む場合、手書き文字と、表示されている画像のページを識別するためのページ識別情報とを関連付け、ページ識別情報に手書き文字が関連付けられていることを条件に、複数ページの画像のうち手書き文字が関連付けられたページの画像にのみ、手書き文字の画像を重畳することができる。
【００６８】
また、画像データに基づく画像のプリントが許可されていることを条件に、画像データに基づく画像に、手書き文字の画像を重畳した合成画像をプリントするためのプリントデータを生成する。このため、画像データの画像に手書き文字の画像を重畳した合成画像をプリントすることができる。
【００６９】
なお、上述した実施の形態においては、表示装置１００，１００Ａ〜１００Ｄについて説明したが、図６または図７に示した処理を表示装置１００に実行させる表示制御方法または、その表示制御方法をＣＰＵ１１に実行させるための表示制御プログラムとして発明を捉えることができるのは言うまでもない。
【００７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７１】
＜付記＞
（１）  前記関連付けるステップは、前記手書き文字と前記アドレスとを記録媒体に格納するステップを含み、
前記記録媒体に格納された前記アドレスに基づいて、前記画像データを取得するステップを、さらに含み、
前記合成するステップは、前記取得された画像データに基づく画像が前記表示手段に表示される場合、前記取得された画像データに基づく画像に前記記録媒体に格納され、前記記録媒体に格納された前記アドレスに関連付けられた前記手書き文字の画像を重畳するステップを含む、請求項６に記載の表示制御方法。
（２）  前記表示装置は、着脱可能な記録媒体が接続されるインターフェース手段を、さらに備え、
前記画像データを取得するステップは、前記インターフェース手段に接続された前記記録媒体に格納された前記アドレスに基づいて、前記画像データを取得するステップを含む、（１）に記載の表示制御方法。
（３）  前記関連付けるステップは、前記画像データが表示単位となるページの画像を複数含む場合、前記検出された手書き文字を、前記表示手段に表示されている画像のページを識別するためのページ識別情報と関連付けるステップを含み、
前記合成するステップは、表示対象となる画像のページ識別情報に手書き文字が関連付けられていることを条件に、前記表示対象となる画像に、該ページ識別情報に関連付けられた前記手書き文字の画像を重畳する、請求項６、（１）、（２）のいずれかに記載の表示制御方法。
（４）  前記手書き文字をプリントするためのプリントデータを生成するステップをさらに含み、
前記プリントデータを生成するステップは、前記画像データに基づく画像がプリント許可されていることを条件に、前記合成するステップにおいて前記画像データに基づく画像に前記手書き文字が重畳された画像をプリントするためのプリントデータを生成する、請求項６、（１）〜（３）のいずれかに記載の表示制御方法。
【図面の簡単な説明】
【００７２】
【図１】本発明の実施の形態の１つにおける表示システムの全体概要を示す図である。
【図２】本発明の実施の形態の１つにおける表示装置の平面図である。
【図３】表示装置のハードウエア構成の一例を示すブロック図である。
【図４】表示装置が備えるＣＰＵが有する機能の一例をメモリカードに記憶されるデータとともに示す機能ブロック図である。
【図５】関連付情報のフォーマットの一例を示す図である。
【図６】表示装置で実行される会議時表示制御処理の流れの一例を示すフローチャートである。
【図７】表示装置で実行される会議後表示制御処理の流れの一例を示すフローチャートである。
【図８】電子ペーパに表示される画像の一例を示す図である。
【符号の説明】
【００７３】
１  表示システム、１００，１００Ａ，１００Ｂ，１００Ｃ，１００Ｄ  表示装置、２０１  ＰＣ、２１１  プリンタ、２２１  サーバ、３００  ネットワーク、３１１  インターネット、１１  ＣＰＵ、１３  ＲＯＭ、１５  ＲＡＭ、１７  ＥＥＰＲＯＭ、１９  電子ペーパ、２１  操作部、２１Ａ  電源キー、２１Ｂ  タッチパネル、２３  通信Ｉ／Ｆ、２５  外部Ｉ／Ｆ、２５Ａ  メモリカード、３１  バス、５１  画像データ受信部、５３  表示制御部、５５  関連付部、５７  文字検出部、５９  画像データ取得部、５９  画像データ取得部、６１  合成部、６３  プリント制御部、７１  関連付情報、７３  文字データ。
【図１】
2011095847.tif 000003
【図２】
2011095847.tif 000004
【図３】
2011095847.tif 000005
【図４】
2011095847.tif 000006
【図５】
2011095847.tif 000007
【図６】
2011095847.tif 000008
【図７】
2011095847.tif 000009
【図８】
2011095847.tif 000010